(57)【要約】  天板昇降式什器（１０Ａ）は、天板部（２０Ａ，２０Ｂ）と、該天板部（２０Ａ，２０Ｂ）に設けられ、上下方向に伸縮することで天板部（２０Ａ，２０Ｂ）を昇降可能に支持する支持構造体（１３）と、支持構造体（１３）に連結された連結構造体（９）と、連結構造体（９）に支持され、平面視における天板部（２０Ａ，２０Ｂ）の近傍に配置された照明装置（４０）と、を備える。
2016175297.tif 000002
【特許請求の範囲】
【請求項１】
天板部と、
該天板部に設けられ、上下方向に伸縮することで前記天板部を昇降可能に支持する支持構造体と、
該支持構造体に連結された連結構造体と、
該連結構造体に支持され、平面視における前記天板部の近傍に配置された照明装置と、を備える天板昇降式什器。
【請求項２】
前記照明装置は、前記連結構造体の上方に配置されている請求項１に記載の天板昇降式什器。
【請求項３】
前記天板部は、互いに対向配置される一対で構成され、
前記支持構造体は、前記一対の天板部のそれぞれに設けられ、上下方向に伸縮することで対応する前記天板部を昇降可能に支持し、
前記連結構造体は、前記一対の天板部を支持する前記支持構造体の間に取り付けられ、
前記照明装置は、前記連結構造体に支持されるとともに、前記一対の天板部の間に配置されている請求項１または２に記載の天板昇降式什器。
【請求項４】
前記連結構造体は、
前記一対の天板部が対向する対向方向と交差する交差方向に離間して、床面上に設けられた一対の基部と、
該一対の基部間に架設され、前記照明装置を支持する連結部と、を備える請求項３に記載の天板昇降式什器。
【請求項５】
前記連結構造体は、前記連結部から上方に向かって延び、前記照明装置を支持する支柱を有する請求項４に記載の天板昇降式什器。
【請求項６】
前記連結構造体は、前記一対の天板部間に配置された中間仕切パネルを有する請求項３から５のいずれか一項に記載の天板昇降式什器。
【請求項７】
前記照明装置は、前記中間仕切パネルの上方に配置されている請求項６に記載の天板昇降式什器。
【発明の詳細な説明】
【技術分野】
【０００１】
本発明は、昇降式の天板を備えたデスク装置、テーブル装置、カウンター装置等の天板昇降式什器に関する。
本願は、２０１５年４月３０日に出願された特願２０１５−０９３６４６号に基づき優先権を主張し、その内容をここに援用する。
【背景技術】
【０００２】
オフィスや公共施設等の執務空間においては、執務者に作業エリアを提供するためにデスク装置（デスク）が配設されているのが一般的である。執務者の体格や性別、嗜好によって作業のし易いデスク装置の天板高さは、個々によって大きく異なっている。そこで、天板高さを上下方向に変更可能とした天板昇降式デスクが使用されている。こうした天板昇降式デスクを用いることによって、執務者の要望に応じた天板高さの作業エリアを提供することができ、作業効率を向上するとともに、執務者の体への負荷を低減することができる。【０００３】
天板高さを上下方向に変更するための手段としては、ガススプリングを用いる方法、ギアを用いる方法等が提案されている（例えば、下記特許文献１及び２参照）。これらの方法によれば、比較的簡易的な構造とし、コストを安く抑えることができる。また、執務者の操作性を良好にするために電動式の昇降機構ユニットを用いる方法が多く採用されている（例えば、下記特許文献３から５参照）。この方法によれば、執務者が容易な操作で天板高さを変更できる。【０００４】
また、複数の天板と、各天板の高さを調整可能に支持する脚体と、を備えた昇降テーブルが提案されている。このような昇降テーブルでは、複数の天板で脚体を共通としながら、各天板の高さをそれぞれ調整することができる（下記特許文献６参照）。
テムを構成する。
【先行技術文献】
【特許文献】
【０００５】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特開２０１４−１４０７５３号公報
【特許文献６】特開２０１４−２１７７４０号公報
【発明の概要】
【発明が解決しようとする課題】
【０００６】
しかしながら、天板高さが上下に変更可能なデスク装置等の什器では、天板の周囲にパネル等の構造物が設置されていると、天井等に設けられた照明装置の照明が構造物で遮られて、天板上まで照明が十分に届かずに、照度が低くなってしまうという問題点がある。
例えば、特許文献６に記載の昇降テーブル等の天板昇降式什器では、対向配置された一対の天板のうち、一方の天板の高さが他方の天板の高さよりも高い場合には、天井等に設けられた照明装置の照明が一方の天板で遮られてしまう。このため、他方の天板側では照明装置の照明が十分に届かずに、照度が低くなってしまうという問題点がある。
また、床面から立ち上げる支柱に支持させるようにして照明装置を設けると、天板を昇降させる際に、天板と支柱や照明装置等が干渉して、照明装置が転倒してしまう等の不都合が起きる可能性がある。【０００７】
本発明は、上記事情に鑑みてなされたものであり、照明装置を安定的に支持し、天板部上の照度を確保することができる天板昇降式什器を提供する。
【課題を解決するための手段】
【０００８】
（１）本発明の第一の態様によれば、天板昇降式什器は、天板部と、該天板部に設けられ、上下方向に伸縮することで前記天板部を昇降可能に支持する支持構造体と、該支持構造体に連結された連結構造体と、該連結構造体に支持され、平面視における前記天板部の近傍に配置された照明装置と、を備える。【０００９】
上記した構成によれば、照明装置は、上下方向に伸縮することで天板部を昇降可能に支持する支持構造体に連結された連結構造体に支持されている。よって、照明装置は天板部を支持する支持構造体とは異なる部材に支持されているため、天板部の昇降にかかわらず、照明装置を安定的に支持することができる。
また、照明装置は連結構造体に支持され、平面視における天板部の近傍に配置されているため、天板部を近くから照らすことができる。よって、天板部上の照度を確保することができる。【００１０】
（２）上記の（１）の天板昇降式什器において、前記照明装置は、前記連結構造体の上方に配置されていてもよい。【００１１】
上記した構成によれば、照明装置は連結構造体の上方に配置されているため、天板部を上方から照らすことができ、天板部上の照度を確実に確保することができる。【００１２】
（３）上記の（１）または（２）の天板昇降式什器において、前記天板部は、互いに対向配置される一対で構成され、前記支持構造体は、前記一対の天板部のそれぞれに設けられ、上下方向に伸縮することで対応する前記天板部を昇降可能に支持し、前記連結構造体は、前記一対の天板部を支持する前記支持構造体の間に取り付けられ、前記照明装置は、前記連結構造体に支持されるとともに、前記一対の天板部の間に配置されている。【００１３】
上記した構成によれば、照明装置は、上下方向に伸縮することで対応する天板部を昇降可能に支持する支持構造体の間に取り付けられた連結構造体に支持されている。よって、照明装置は天板部を支持する支持構造体とは異なる部材に支持されているため、天板部の昇降にかかわらず、照明装置を安定的に支持することができる。
また、照明装置は一対の天板部の間に配置されているため、一対の天板部それぞれを照らすことができる。よって、各天板部上の照度を確保することができる。【００１４】
（４）上記（３）の天板昇降式什器において、前記連結構造体は、前記一対の天板部が対向する対向方向と交差する交差方向に離間して、床面上に設けられた一対の基部と、該一対の基部間に架設され、前記照明装置を支持する連結部と、を備えていてもよい。【００１５】
上記した構成によれば、天板部における交差方向にわたって連結部が設けられるため、照明装置を交差方向にわたって支持することができる。よって、天板の交差方向にわたって明るさを確保することができる。【００１６】
（５）上記（４）の天板昇降式什器において、前記連結構造体は、前記連結部から上方に向かって延び、前記照明装置を支持する支柱を有していてもよい。【００１７】
上記した構成によれば、連結部から上方に向かって延びる支柱が照明装置を支持するため、照明装置を高い場所に設けることができる。よって、天板部上を上方から照らすことができる。
また、一対の天板部、支持構造体、一対の基部、連結部、支柱及び照明装置を、一体にユニット化することができる。【００１８】
（６）上記（３）から（５）のいずれか一に記載の天板昇降式什器において、前記連結構造体は、前記一対の天板部間に配置された中間仕切パネルを有していてもよい。【００１９】
上記した構成によれば、一対の天板部間に配置された中間仕切パネルにより、一方の天板部側の空間と、他方の天板部側の空間とを仕切ることができる。よって、各天板部を利用する利用者に個人のスペースを提供することができる。
また、一対の天板部、支持構造体、連結構造体、照明装置及び中間仕切パネルを、一体にユニット化することができる。【００２０】
（７）上記（６）の天板昇降式什器において、前記照明装置は、前記中間仕切パネルの上方に配置されていてもよい。【００２１】
上記した構成によれば、照明装置が中間仕切パネルの上方に配置されているため、各天板部を中間仕切パネルの上方から照らすことができる。よって、一方の天板部側の空間と、他方の天板部側の空間とを仕切りつつ、天板部の上方の照度も確保することができる。
【発明の効果】
【００２２】
上記した天板昇降式什器によれば、照明装置を安定的に支持し、天板部上の照度を確保することができる。
【図面の簡単な説明】
【００２３】
【図１】本発明の第一実施形態に係る天板昇降式什器の斜視図である。
【図２】本発明の第二実施形態に係る天板昇降式什器の斜視図である。
【図３】本発明の第三実施形態に係る天板昇降式什器の斜視図である。
【図４】本発明の第四実施形態に係る天板昇降式什器の斜視図である。
【図５】本発明の第五実施形態に係る天板昇降式什器の斜視図である。
【発明を実施するための形態】
【００２４】
（第一実施形態）
以下、本発明の実施形態に係る天板昇降式什器の一例としてデスクシステムについて説明する。
図１は、本発明の第一実施形態に係る天板昇降式什器の斜視図である。
【００２５】
（デスクシステム）
図１に示すように、デスクシステム１Ａは、互いに離間して配置されたデスク装置１０Ａ，１０Ｂと、これらデスク装置１０Ａ，１０Ｂ間に配置された収納ボックスＣと、収納ボックスＣに支持されたモニターＭ及びテーブルＴと、を備えている。
【００２６】
（デスク装置）
デスク装置１０Ａ，１０Ｂの総称をデスク装置１０とする。各デスク装置１０は、天板部２０Ａ，２０Ｂと、支持脚部材（支持構造体）１３と、中間構造体（連結構造体）９と、照明装置４０と、備えている。
各支持脚部材１３は、天板部２０Ａ，２０Ｂをそれぞれ支持する。中間構造体９は、天板部２０Ａを支持する支持脚部材１３と天板部２０Ｂを支持する支持脚部材１３との間に取り付けられている。照明装置４０は、中間構造体９に取り付けられている。
【００２７】
天板部２０Ａ，２０Ｂは、それぞれ平面視長方形の天板２１Ａ，２１Ｂを有している。天板２１Ａ，２１Ｂは、平面視した状態で、それぞれの短辺方向において互いに対向している。
ここで、以下の説明において、天板２１Ａ，２１Ｂが互いに対向する方向（短辺方向）を対向方向、天板２１Ａ，２１Ｂの長手方向に沿った方向を幅方向（交差方向）、デスク装置１０が設置される床面Ｆに直交する方向を上下方向と適宜称する。
【００２８】
天板２１Ａ，２１Ｂは、幅方向両端部の下面に、対向方向に延びる支持ブラケット２３をそれぞれ有している。天板２１Ａ，２１Ｂは、これら支持ブラケット２３，２３を介して、幅方向両端部に位置する支持脚部材１３，１３の後述する第三筒部１３ｚの上端に連結されている。
【００２９】
また、天板２１Ａ，２１Ｂの幅方向両側部には、各天板２１Ａ，２１Ｂを上下に貫通する配線挿通孔（不図示）が設けられている。配線挿通孔には、配線キャップ２１Ｚが嵌合されている。
【００３０】
中間構造体９は、床面Ｆに沿って設けられるベース部材（基部）１２と、ベース部材１２どうしを連結する連結ビーム（連結部）１４と、連結ビーム１４に取り付けられた支柱１５及び中間仕切パネル１６と、を有している。
【００３１】
各ベース部材１２は、幅方向に沿って間隔を空けて配置され、デスク装置１０の幅方向両端部に位置するよう設けられている。各ベース部材１２の下面には、対向方向の両端部に床面Ｆに接地する接地部材１２ｆが設けられている。各接地部材１２ｆは、ベース部材１２から下方への突出寸法が調整可能である。これにより、ベース部材１２の高さおよび水平レベルを調整できるようになっている。
【００３２】
連結ビーム１４は、門型に形成されている。連結ビーム１４は、各ベース部材１２の上面１２ｕから立ち上がる連結脚１４ａと、連結脚１４ａどうしを連結する横架材１４ｂと、を有している。
【００３３】
支柱１５は、連結ビーム１４の横架材１４ｂに図示しないネジ等により取り付けられている。支柱１５は、天板部２０Ａ，２０Ｂの対向方向の端部からわずかに離間して配置され、上下方向に延びている。
【００３４】
中間仕切パネル１６は、連結ビーム１４の横架材１４ｂの上部に、図示しない取付金具等を介して固定されている。この中間仕切パネル１６は、天板２１Ａと天板２１Ｂとの間に配置され、鉛直面内に位置している。中間仕切パネル１６，１６は、天板２１Ａ（天板２１Ｂ）の幅方向に沿って、離間して配置されている。この中間仕切パネル１６間に、支柱１５が配置されている。
【００３５】
この中間仕切パネル１６は、アクリル樹脂等、光透過性を有した透過性材料や、表面に布を張設した遮光性材料等によって形成することができる。
【００３６】
各支持脚部材１３は、それぞれ各ベース部材１２上に設けられて上下方向に延び天板部２０Ａ，２０Ｂを支持する。つまり、天板部２０Ａは、天板部２０Ａの幅方向に離間して配置された一対の支持脚部材１３に支持されている。同様に、天板部２０Ｂは、天板部２０Ｂの幅方向に離間して配置された一対の支持脚部材１３に支持されている。
【００３７】
各支持脚部材１３は、各ベース部材１２に長さ方向（天板２１Ａ，２１Ｂの対向方向）に離間して設けられている。各支持脚部材１３は、ベース部材１２の上面１２ｕに固定された第一筒部１３ｘと、第一筒部１３ｘ内に上下方向に移動可能に挿入された第二筒部１３ｙと、第二筒部１３ｙ内に上下方向に移動可能に挿入された第三筒部１３ｚと、を有している。第一筒部１３ｘ、第二筒部１３ｙ、第三筒部１３ｚは、それぞれ角筒状をなしている。各支持脚部材１３は、第一筒部１３ｘに対し、第二筒部１３ｙ、第三筒部１３ｚが上下方向に沿って出没することで、上下方向の長さが調整可能となっている。
【００３８】
さらに、デスク装置１０は、支持脚部材１３の動作を制御する制御ユニット（不図示。以下同じ。）と、制御ユニットに昇降動作信号を入力するための操作部１９と、を備えている。
制御ユニットは、例えば、天板２１Ａ，２１Ｂの下面等に固定されている。この制御ユニットには、デスク装置１０が配置される執務空間に設けられた商用電源に接続される電源ケーブル（不図示。以下同じ。）が接続されている。
【００３９】
操作部１９は、天板２１Ａ，２１Ｂの下面に設けられている。操作部１９は、制御ユニットに、配線ケーブル（不図示。以下同じ。）を介して電気的に接続されている。
利用者が操作部１９に対して所定の操作を入力すると、操作部１９から配線ケーブルを介し、制御ユニットに操作信号が送信される。制御ユニットは、操作部１９から操作信号を受信すると、受信した信号に基づいて支持脚部材１３に昇降動作を実行させる指令信号を出力する。各支持脚部材１３は、指令信号を受信すると、その指令信号に応じて、例えば各支持脚部材１３に内蔵された伸縮駆動装置（不図示）によって伸縮駆動され、これによって天板部２０Ａ，２０Ｂの高さの調整がなされる。
【００４０】
照明装置４０は、平面視における天板部２０Ａ，２０Ｂの近傍に配置されている。具体的には、照明装置４０は、天板部２０Ａ，２０Ｂの対向方向の端部からわずかに離間して配置された支柱１５に支持されている。照明装置４０は、図示しない電球や発光ダイオード（Light Emitting Diode；LED）等が設けられた発光部４１と、発光部４１を覆うカバー部４２と、を有している。各カバー部４２は、発光部４１から天板２１Ａ，２１Ｂの対向方向にそれぞれ延びている。照明装置４０は、中間仕切パネル１６の上方に配置されている。
【００４１】
収納ボックスＣは、デスク装置１０Ａの連結ビーム１４とデスク装置１０Ｂの連結ビーム１４との間に設けられている。収納ボックスＣは、内部に収納空間が形成された収納本体Ｃ１と、収納本体Ｃ１に設けられた複数の扉部Ｃ２…と、を有している。
なお、扉部Ｃ２は、収納本体Ｃ１における奥行方向（天板２１Ａ，２１Ｂの対向方向）一方側のみならず、両側に設けられていてもよい。この場合には、収納本体Ｃ１の内部には、収納本体Ｃ１における奥行方向中間部に仕切板（不図示）が設けられ、収納本体Ｃ１の収納空間が奥行方向に分割されている。
【００４２】
モニターＭは、収納ボックスＣの上部から立ち上がる支持枠Ｍ１と、支持枠Ｍ１に支持されたモニター本体Ｍ２と、を有している。
【００４３】
テーブルＴは、天板２１Ａ，２１Ｂの対向方向及び幅方向に離間して配置された４本のテーブル脚Ｔ１，Ｔ１，Ｔ２，Ｔ２と、４本のテーブル脚Ｔ１，Ｔ２に支持されたテーブル天板Ｔ３と、を有している。
【００４４】
テーブル脚Ｔ１の下部は、収納ボックスＣの上部に設けられている。テーブル脚Ｔ２の下部は、床面Ｆ上に配置されている。テーブル脚Ｔ１の長さは、テーブル脚Ｔ２の長さよりも短い。これにより、テーブル天板Ｔ３は水平面内に配置されている。また、天板部２０Ａ，２０Ｂに沿って椅子Ｄを適宜設置することもできる。
【００４５】
上記に示すデスクシステム１Ａでは、操作部１９を操作して、天板部２０Ａ，２０Ｂをそれぞれ所定の高さに設定することができる。そして、天板部２０Ａ，２０Ｂの間に配置された中間仕切パネル１６により、天板部２０Ａ側の空間Ｓ１と、天板部２０Ｂ側の空間Ｓ２とが、区画される。
【００４６】
このように構成されたデスクシステム１Ａでは、上下方向に伸縮することで対応する天板部２０Ａ，２０Ｂを昇降可能に支持する支持脚部材１３は、ベース部材１２に設けられている。ベース部材１２どうしは、連結ビーム１４で連結されている。照明装置４０は、連結ビーム１４に取り付けられた支柱１５に支持されている。このように、照明装置４０は、支柱１５及び連結ビーム１４を介して、ベース部材１２に支持されている。よって、照明装置４０は天板部２０Ａ，２０Ｂを支持する支持脚部材１３とは異なる部材に支持されているため、天板部２０Ａ，２０Ｂの昇降にかかわらず照明装置４０を安定的に支持することができる。
また、照明装置４０は一対の天板部２０Ａ，２０Ｂの間であって、平面視における天板部２０Ａ，２０Ｂの近傍に、且つ中間仕切パネル１６の上方に配置されているため、一対の天板部２０Ａ，２０Ｂそれぞれを近くから且つ上方から照らすことができる。よって、各天板部２０Ａ，２０Ｂ上の照度を確保することができる。
【００４７】
また、連結ビーム１４から上方に向かって延びる支柱１５が照明装置４０を支持するため、照明装置４０を高い場所に設けることができる。よって、天板部２０Ａ，２０Ｂ上を上方から照らすことができる。
【００４８】
また、天板部２０Ａ，２０Ｂ、ベース部材１２、支持脚部材１３…、連結ビーム１４、支柱１５及び中間仕切パネル１６を、一体にユニット化することができる。
【００４９】
また、天板部２０Ａ，２０Ｂの間に配置された中間仕切パネル１６により、天板部２０Ａ側の空間Ｓ１と、天板部２０Ｂ側の空間Ｓ２とが、区画される。よって、天板部２０Ａ，２０Ｂを利用する利用者それぞれに、個人のスペースである空間部Ｓ１，Ｓ２を提供することができる。
【００５０】
また、照明装置４０が中間仕切パネル１６の上方に配置されているため、各天板部２０Ａ，２０Ｂを中間仕切パネル１６の上方から照らすことができる。よって、天板部２０Ａ，２０Ｂの上方の照度も確保することができる。
【００５１】
また、連結ビーム１４の横架材１４ｂの高さが高い場合には、天板部２０Ａ，２０Ｂを利用する利用者は、横架材１４ｂの下方に脚を入れることができるため、デスクシステム１Ａの使い勝手を良好にすることができる。
【００５２】
（第二実施形態）
上記に示す第二実施形態について、主に図２を用いて説明する。
図２は、本発明の第二実施形態に係る天板昇降式什器の斜視図である。
以下の他の実施形態において、前述した実施形態で用いた部材と同一の部材には同一の符号を付して、その説明を省略する。
【００５３】
図２に示すように、デスク装置１０Ｃは、天板部２０Ａ，２０Ｂと、支持脚部材１３と、中間構造体９と、中間構造体９に取り付けられた照明装置４０Ｃと、備えている。
【００５４】
中間構造体９は、ベース部材１２と、連結ビーム１４と、連結ビーム１４に設けられた一対の支柱１５Ｃと、一対の支柱１５Ｃ間に設けられた中間仕切パネル１６Ｃと、を有している。
【００５５】
一対の支柱１５Ｃは、連結ビーム１４の横架材１４ｂの幅方向の両端部にそれぞれ取り付けられている。一対の支柱１５Ｃの上端部どうしは、上部連結杆１５Ｄにより連結されている。
【００５６】
これら一対の支柱１５Ｃ間には、中間仕切パネル１６Ｃが取り付けられている。中間仕切パネル１６Ｃは、図示しないネジ等により支柱１５Ｃに取り付けられている。
また、一対の支柱１５Ｃの上部には、天板部２０Ａ，２０Ｂの対向方向に連通された空間部ＳＡが形成されている。
【００５７】
照明装置４０Ｃは、上部連結杆１５Ｄに設けられた発光部４１Ｃと、上部連結杆１５Ｄから天板部２０Ａ，２０Ｂの対向方向にそれぞれ延びるカバー部４２Ｃと、を有している。カバー部４２Ｃは、アクリル樹脂等、光透過性を有した透過性材料により構成されている。これにより、発光部４１Ｃの光線が、カバー部４２Ｃを通過可能とされている。
【００５８】
このように構成されたデスク装置１０Ｃでは、照明装置４０Ｃが天板部２０Ａ，２０Ｂにおける幅方向にわたって設けられているため、天板部２０Ａ，２０Ｂの幅方向にわたって明るさを確保することができる。
【００５９】
（第三実施形態）
上記に示す第三実施形態について、主に図３を用いて説明する。
図３は、本発明の第三実施形態に係る天板昇降式什器の斜視図である。
【００６０】
図３に示すように、デスク装置１０Ｅは、天板部２０Ａ，２０Ｂと、支持脚部材１３と、中間構造体９と、中間構造体９に取り付けられた照明装置４０Ｅと、備えている。
【００６１】
照明装置４０Ｅは、連結ビーム１４の横架材１４ｂに設けられた支柱１５Ｅに支持されている。照明装置４０Ｅは、発光部４１Ｅと、発光部４１Ｅの上方を覆うカバー部４２Ｅと、を有している。
【００６２】
（第四実施形態）
上記に示す第四実施形態について、主に図４を用いて説明する。
図４は、本発明の第四実施形態に係る天板昇降式什器の斜視図である。
【００６３】
図４に示すように、デスク装置１０Ｆは、天板部２０Ａ，２０Ｂと、支持脚部材１３と、中間構造体９Ｆと、中間構造体９Ｆに取り付けられた照明装置４０Ｆと、備えている。
【００６４】
中間構造体９Ｆは、ベース部材１２と、ベース部材１２に設けられた支柱１５Ｆと、を有している。
【００６５】
照明装置４０Ｆは、支柱１５Ｆに支持されている。照明装置４０Ｆは、発光部４１Ｆと、発光部４１Ｆの上方を覆うカバー部４２Ｆと、を有している。
【００６６】
（第五実施形態）
上記に示す第五実施形態について、主に図５を用いて説明する。
図５は、本発明の第五実施形態に係る天板昇降式什器の斜視図である。
図５に示すように、デスク装置１０Ｇは、第二実施形態に係るデスク装置Ｃの天板部２０Ａ及び天板部２０Ａを支持する支持脚部材１３が設けられていない構成である。
【００６７】
デスク装置１０Ｇは、天板部２０Ｂと、天板部２０Ｂを支持する支持脚部材１３と、連結構造体（中間構造体）９と、連結構造体９に取り付けられた照明装置４０Ｃと、を備えている。
【００６８】
連結構造体９は、床面Ｆに沿って設けられるベース部材１２Ｇと、連結ビーム１４と、を有している。
【００６９】
ベース部材１２Ｇは、天板部２０Ｂの短辺方向（対向方向）の長さが、第二実施形態のベース部材１２よりも短い。
【００７０】
このように構成されたデスク装置１０Ｇでは、上下方向に伸縮することで天板部２０Ｂを昇降可能に支持する支持脚部材１３は、ベース部材１２Ｇに設けられている。ベース部材１２Ｇどうしは、連結ビーム１４で連結されている。連結ビーム１４に設けられた一対の支柱１５Ｃの上端部どうしは、上部連結杆１５Ｄにより連結されている。照明装置４０Ｃは、上部連結杆１５Ｄに設けられている。このように、照明装置４０Ｃは、上部連結杆１５Ｄ、一対の支柱１５Ｃ及び連結ビーム１４を介して、ベース部材１２に支持されている。よって、照明装置４０Ｃは天板部２０Ｂを支持する支持脚部材１３とは異なる部材に支持されているため、天板部２０Ｂの昇降にかかわらず照明装置４０Ｃを安定的に支持することができる。
また、照明装置４０Ｃが天板部２０Ｂにおける幅方向にわたって設けられているため、天板部２０Ｂの幅方向にわたって明るさを確保することができる。
【００７１】
なお、上述した実施の形態において示した各構成部材の諸形状や組み合わせ等は一例であって、本発明の主旨から逸脱しない範囲において設計要求等に基づき種々変更可能である。
【００７２】
例えば、上記実施形態では、天板付き什器として、デスク装置１０を例示したが、これに限らず、デスク以外の例えばカウンター、テーブル等であってもよい。
【００７３】
また、上記に示す実施形態において、連結部は、連結脚１４ａ，１４ａと、横架材１４ｂとで門型に形成されているが、本発明はこれに限られない。連結部は、一対の基部間に架設され、照明装置を支持していれば、床面Ｆに沿うように配置されていてもよい。また、中間構造体は、一方の天板部を支持する一方の支持構造体と他方の天板部を支持する他方の支持構造体との間に取り付けられた収納ボックス（不図示）により構成されていてもよい。
【産業上の利用可能性】
【００７４】
上記した天板昇降式什器によれば、照明装置を安定的に支持し、対向配置された各天板部上の照度を確保することができる。
【符号の説明】
【００７５】
１Ａ…デスクシステム
９…中間構造体（連結構造体）
１０，１０Ａ，１０Ｂ，１０Ｃ，１０Ｄ，１０Ｅ，１０Ｆ，１０Ｇ…デスク装置（天板昇降式什器）
１２，１２Ｇ…ベース部材（基部）
１３…支持脚部材（支持構造体）
１４…連結ビーム（連結部）
１５，１５Ｃ，１５Ｅ，１５Ｆ…支柱
１６，１６Ｃ…中間仕切パネル
２０Ａ，２０Ｂ…天板部
４０，４０Ｃ，４０Ｅ，４０Ｆ…照明装置
Ｆ…床面
【図１】
2016175297.tif 000003
【図２】
2016175297.tif 000004
【図３】
2016175297.tif 000005
【図４】
2016175297.tif 000006
【図５】
2016175297.tif 000007
【国際調査報告】
2016175297.tif 000008
2016175297.tif 000009
2016175297.tif 000010
2016175297.tif 000011